(57)【特許請求の範囲】
【請求項１】
ラック内の支持体に固定して電子機器を前記ラック内に収納するラック固定装置であって、
前記電子機器の側面に取り付けられたスライド板をスライド可能に支持するスライド板受け部と、
前記スライド板受け部に連絡する固定部と、
前記固定部の一方の面側から突出して前記支持体に設けられた穴に挿入されるガイドピンと、
前記固定部の前記一方の面との間に前記支持体を挟む第１の弾性体と、
前記固定部の他方の面との間に前記電子機器のフランジ部を挟んで固定する第２の弾性体と
を有し、
前記第１の弾性体の一端側は、前記スライド板受け部と一体の部分に固定されており、
前記第２の弾性体の一端側は、前記スライド板受け部に固定されていることを特徴とするラック固定装置。
【請求項２】
前記第１の弾性体及び前記第２の弾性体は、それぞれ所定の形状に加工された板ばねであることを特徴とする請求項１に記載のラック固定装置。
【請求項３】
前記第２の弾性体の他端側が前記固定部に設けられた開口部を通って前記他方の面側に突出し、前記第２の弾性体の前記他端側と前記固定部の前記他方の面との間に前記電子機器のフランジ部を挟むことを特徴とする請求項１又は２に記載のラック固定装置。
【請求項４】
前記固定部及び前記第１の弾性体には、前記フランジ部に設けられたピンが嵌入する穴が設けられていることを特徴とする請求項１乃至３のいずれか１項に記載のラック固定装置。
【請求項５】
支持体を備えたラックと、
フランジ部を備えた電子機器と、
前記電子機器の側面に取り付けられたスライド板と、
前記電子機器を前記支持体に固定するラック固定装置とを有し、
前記ラック固定装置は、
前記スライド板をスライド可能に支持するスライド板受け部と、
前記スライド板受け部に連絡する固定部と、
前記固定部の一方の面側から突出して前記支持体に設けられた穴に挿入されるガイドピンと、
前記固定部の前記一方の面との間に前記支持体を挟む第１の弾性体と、
前記固定部の他方の面との間に前記フランジ部を挟む第２の弾性体とを有し、
前記第１の弾性体の一端側は、前記スライド板受け部と一体の部分に固定されており、
前記第２の弾性体の一端側は、前記スライド板受け部に固定されていることを特徴とする電子装置。
【請求項６】
前記スライド板は、前記スライド板の長手方向に延びるスライド溝と、前記スライド溝の延長上に配置されたロック溝とを有し、
前記第２の弾性体には前記スライド板受け部に設けられた穴を介して前記スライド溝又は前記ロック溝に進入する爪が設けられていることを特徴とする請求項５に記載の電子装置。
【発明の詳細な説明】
【技術分野】
【０００１】
本発明は、ラック固定装置及び電子装置に関する。
【背景技術】
【０００２】
近年、高度情報化社会の発達にともなって計算機で多量のデータが取り扱われるようになり、多数の計算機を同一室内に設置して一括管理することが多くなっている。例えばデータセンターでは、室内に多数のラック（サーバラック）を設置し、それぞれのラックに複数のサーバ（計算機）を収納している。そして、それらのサーバにジョブを有機的に配分し、大量のジョブを効率的に処理している。
【０００３】
サーバは、例えばサーバを挟んで配置された一対のスライドレールを使ってラックに搭載される。スライドレールは、ラックの内側に固定されるアウターレールと、アウターレールに沿ってスライドするインナーレールとを有する。サーバはインナーレールに固定され、インナーレールのスライドによりラックから容易に引き出すことができる。
【０００４】
スライドレールを使用することにより、サーバをラックから容易に引き出すことができるため、サーバの保守性が著しく向上する。
【０００５】
一般的なデータセンターでは、１９インチラックと呼ばれるラックが使用されている。１９インチラックでは、左右の支柱にそれぞれ設けられた機器取り付け用の穴間の距離が１９インチ（４８２．６ｍｍ）に設定されている。また、ラック内に収納するサーバ又はその他の電子機器（ネットワークスイッチ及びストレージ装置等）の高さは、１Ｕ（１．７５インチ＝４４．４５ｍｍ）又はその倍数に設定されている。例えば高さが２ｍ（４２Ｕ）のラックには、１Ｕのサーバを最大４２台収納することができる。
【０００６】
なお、従来から、ばねを利用して電子機器をパネルや取り付け金具等に固定する種々の構造が提案されている（例えば、特許文献１，２参照）。
【先行技術文献】
【特許文献】
【０００７】
【特許文献１】実開平４−１２０２８０号公報
【特許文献２】特開昭６３−１５４９５号公報
【発明の概要】
【発明が解決しようとする課題】
【０００８】
前述したように、データセンターでは多数のサーバをラック内に収納している。近年、サーバのより一層の小型化が促進されており、サーバの奥行を短くして、１Ｕの高さに２台のサーバを収納することが検討されるようになった。
【０００９】
しかしながら、従来のスライドレールを利用したラックでは、１Ｕの高さに２台のサーバを収納することはできない。
【００１０】
開示の技術は、ラック内にサーバ又はその他の電子機器をより高密度に収納できるラック固定装置、及びそのラック固定装置を使用して電子機器をラック内に収納した電子装置を提供することを目的とする。
【課題を解決するための手段】
【００１１】
開示の技術の一観点によれば、ラック内の支持体に固定して電子機器を前記ラック内に収納するラック固定装置であって、前記電子機器の側面に取り付けられたスライド板をスライド可能に支持するスライド板受け部と、前記スライド板受け部に連絡する固定部と、前記固定部の一方の面側から突出して前記支持体に設けられた穴に挿入されるガイドピンと、前記固定部の前記一方の面との間に前記支持体を挟む第１の弾性体と、前記固定部の他方の面との間に前記電子機器のフランジ部を挟んで固定する第２の弾性体とを有し、前記第１の弾性体の一端側は、前記スライド板受け部と一体の部分に固定されており、前記第２の弾性体の一端側は、前記スライド板受け部に固定されているラック固定装置が提供される。
【００１２】
開示の技術の他の一観点によれば、支持体を備えたラックと、フランジ部を備えた電子機器と、前記電子機器の側面に取り付けられたスライド板と、前記電子機器を前記支持体に固定するラック固定装置とを有し、前記ラック固定装置は、前記スライド板をスライド可能に支持するスライド板受け部と、前記スライド板受け部に連絡する固定部と、前記固定部の一方の面側から突出して前記支持体に設けられた穴に挿入されるガイドピンと、前記固定部の前記一方の面との間に前記支持体を挟む第１の弾性体と、前記固定部の他方の面との間に前記フランジ部を挟む第２の弾性体とを有し、前記第１の弾性体の一端側は、前記スライド板受け部と一体の部分に固定されており、前記第２の弾性体の一端側は、前記スライド板受け部に固定されている電子装置が提供される。
【発明の効果】
【００１３】
上述の一観点に係るラック固定装置及び電子装置によれば、ラック内にサーバ又はその他の電子機器を高密度に収納できる。
【図面の簡単な説明】
【００１４】
【図１】図１は、実施形態に係る電子装置の一例を示す斜視図である。
【図２】図２は、ラック内に収納されたサーバを示す斜視図である。
【図３】図３は、ラックから引き出した状態のサーバを示す斜視図である。
【図４】図４は、サーバのフランジ部を裏側から見た斜視図である。
【図５】図５は、スライド板の斜視図である。
【図６】図６（ａ）はラック固定装置の斜視図、図６（ｂ）は同じくそのラック固定装置を図６（ａ）とは別の角度から見たときの斜視図である。
【図７】図７は、サーバがラック固定装置に支持された状態をラック固定装置の後側から見た図である。
【図８】図８は、板ばねの斜視図である。
【図９】図９（ａ），（ｂ）は、ラック固定装置を支柱に固定するまでの工程を示す斜視図（その１）である。
【図１０】図１０はラック固定装置を支柱に固定するまでの工程を示す斜視図（その２）である。
【図１１】図１１（ａ）〜（ｃ）は、ラック固定装置を支柱に固定するまでの工程を示す上面図である。
【図１２】図１２（ａ），（ｂ）は、ラック固定装置を支柱に固定してからサーバをラック内に収納するまでの工程を示す斜視図である。
【図１３】図１３（ａ）〜（ｃ）は、ラック固定装置を支柱に固定してからサーバをラック内に収納するまでの工程を示す模式断面図である。
【図１４】図１４は、板ばねの爪によるロックを解除する方法を示す模式図である。
【図１５】図１５は、サーバのフランジ部の裏側に設けられたロックピンが板ばねのロック穴に嵌入する状態を示す模式図である。
【図１６】図１６（ａ），（ｂ）は、保守点検等によりサーバをラックから引き出すときの作業を示す模式図である。
【図１７】図１７は、ラックから引き出された状態のサーバを示す模式図である。
【図１８】図１８は、ラックの０Ｕ部にサーバを搭載した例を示す斜視図である。
【発明を実施するための形態】
【００１５】
以下、実施形態について、添付の図面を参照して説明する。
【００１６】
図１は、実施形態に係る電子装置の一例を示す斜視図である。また、図２はラック内に収納されたサーバを示す斜視図、図３はラックから引き出した状態のサーバを示す斜視図である。更に、図４は、サーバのフランジ部を裏側から見た斜視図である。
【００１７】
図１に示すように、本実施形態に係る電子装置１０は、ラック１１と、ラック１１内に収納された複数（図１では２台のみ表示）のサーバ１２とを有する。図１では水平方向に並んだ２台のサーバ１２のみを図示しているが、実際のラック１１では高さ方向にも複数のサーバ１２が収納されている。また、図１では、ラック１１の周囲のパネル（扉及び側板等）を取り外した状態を示している。
【００１８】
ラック１１内には４本の支柱２１が垂直に配置されている。それらの支柱２１には、図２に示すように、高さ方向に一定のピッチ（例えば、０．６２５インチピッチ）で機器取り付け用の穴２１ａが設けられている。
【００１９】
図１，図２に例示するラック１１では、一方の側（前側）の２本の支柱２１にそれぞれ取り付けた２個のラック固定装置２３により、１台のサーバ１２が支持されている。また、ラック１１の他方の側（後側）の２本の支柱２１にそれぞれ取り付けた２個のラック固定装置２３により、他の一台のサーバ１２が支持されている。すなわち、本実施形態のラック固定装置２３を使用したラック１１では、１Ｕの高さに２台のサーバ１２を収納することができる。
【００２０】
なお、サーバ１２は電子機器の一例であり、支柱２１は支持体の一例である。
【００２１】
図３に示すように、サーバ１２の前面パネルの両側には、側方に突出するフランジ部３２が設けられている。このフランジ部３２には、後述するラック固定装置２３の板ばね４５の先端が通る開口部３２ａが設けられている。また、フランジ部３２の裏面側には、図４に示すように、２本のロックピン３３が設けられている。
【００２２】
更に、サーバ１２の両側面には、サーバ１２の奥行き方向に延びるスライド板３１が取り付けられている。
【００２３】
図５は、スライド板３１の斜視図である。また、図６（ａ）はラック固定装置２３の斜視図、図６（ｂ）は同じくそのラック固定装置２３を図６（ａ）とは別の角度から見たときの斜視図である。更に、図７は、サーバ１２がラック固定装置２３に支持された状態をラック固定装置２３の後側から見た図である。
【００２４】
図５に示すように、スライド板３１には、長手方向に並行して延びる２本のスライド溝３１ａと、スライド板３１の後側であってスライド溝３１ａの延長線上に配置されたロック溝３１ｂとが設けられている。また、図７に示すように、スライド板３１の上側及び下側はＵ字状に湾曲しており、それらの湾曲した部分で後述のラック固定装置２３のスライド板受け部４３の上部及び下部を挟むことで、スライド板３１がラック固定装置２３にスライド可能な状態で支持される。
【００２５】
図６（ａ），（ｂ）に示すように、ラック固定装置２３は１枚の金属板（例えば、ステンレス板）を曲げ加工して形成されており、固定部４１と、スライド板受け部４３と、折り曲げ部４６と、ばね支持部４７とを有する。固定部４１とスライド板受け部４３とのなす角度、スライド板受け部４３と折り曲げ部４６とのなす角度、及び折り曲げ部４６とばね支持部４７とのなす角度は、いずれも９０°である。
【００２６】
固定部４１とスライド板受け部４３との接続部、及びスライド板受け部４３と折り曲げ部４６との接続部には、スライド板３１の上部及び下部のＵ字状に湾曲した部分が通る切り欠き４８が設けられている（図７参照）。
【００２７】
固定部４１の裏面側には、固定部４１から垂直方向に突出するガイドピン４２が設けられている。このガイドピン４２は当該ラック固定装置２３の取り付け位置を決めるためのものであり、当該ラック固定装置２３を支柱２１に取り付ける際に支柱２１の穴２１ａに挿入される。また、固定部４１には、サーバ１２のフランジ部３２の裏面に設けられたロックピン３３が嵌入するロック穴４１ａが設けられている。
【００２８】
スライド板受け部４３は、前述したようにサーバ１２に取り付けたスライド板３１を支持する部分である。このスライド板受け部４３には、板ばね４５の一端側（固定端側）が固定されている。
【００２９】
図６（ａ）に示すように、板ばね４５の先端側（自由端側）はＶ字状に屈曲しており、固定部４１に設けられた開口部４１ｂを介して固定部４１の前方に突出している。後述するように、板ばね４５の先端部と固定部４１との間にサーバ１２のフランジ部３２を挟むことで、サーバ１２を当該ラック固定装置２３に固定する。
【００３０】
図８は、板ばね４５の斜視図である。この図８に示すように、板ばね４５には、板ばね４５の一部を直角に折り曲げてなる２つの爪４５ａが設けられている。一方、スライド板受け部４３には、爪４５ａが通る穴４３ａ（図６（ｂ）参照）が設けられており、爪４５ａの先端部はこの穴４３ａを通ってスライド板３１のスライド溝３１ａ又はロック溝３１ｂ内に進入する。
【００３１】
爪４５ａの先端部がスライド溝３１ａ内にあるときは、スライド板３１をスライド溝３１ａの範囲内でスライドさせることができる。また、ロック溝３１ｂの長さは爪４５ａの先端部の長さにほぼ等しく設定されているので、爪４５ａの先端部がロック溝３１ｂ内にあるときはスライド板３１がラック固定装置２３に固定（ロック）された状態となる。後述するように、ラック固定装置２３を支柱２１に固定するとき、及びサーバ１２の保守点検時には、爪４５ａの先端部をロック溝３１ｂ内に配置する。
【００３２】
図６（ａ），（ｂ）に示すように、ばね支持部４７には、板ばね４４の一端側（固定端側）が固定されている。板ばね４４の先端側（自由端側）は固定部４１の裏面と平行になるように屈曲されている。板ばね４４には、ガイドピン４２に対応する部分に切り欠きが設けられている。
【００３３】
後述するように、板ばね４４の先端部と固定部４１の裏面との間に支柱２１を挟むことで、当該ラック固定装置２３を支柱２１に固定する。なお、板ばね４４の先端側には、前述のサーバ１２のフランジ部３２の裏面側に設けられたロックピン３３が嵌入するロック穴４４ａが設けられている。また、板ばね４４は第１の弾性体の一例であり、板ばね４５は第２の弾性体の一例である。
【００３４】
折り曲げ部４６は、スライド板受け部４３とばね支持部４７との間に、板ばね４４，４５が弾性変形するのに必要な空間を確保するために設けられている。
【００３５】
図９（ａ），（ｂ）及び図１０は、ラック固定装置２３を支柱２１に固定するまでの工程を示す斜視図である。また、図１１（ａ）〜（ｃ）は、同じくラック固定装置２３を支柱２１に固定するまでの工程を示す上面図である。以下、図３，図９〜図１１を参照して、本実施形態のラック固定装置２３を使用したサーバ１２の取り付け方法について説明する。
【００３６】
まず、図３に示すように、サーバ１２の両側面にスライド板３１を取り付け、更にスライド板３１にラック固定装置２３を取り付ける。
【００３７】
スライド板３１にラック固定装置２３を取り付けるときには、図７のようにスライド板受け部４３の上部及び下部をスライド板３１の上部及び下部のＵ字状に湾曲した部分で挟む。このとき、ラック固定装置２３をスライド板３１の長手方向にスライドさせて、板ばね４５の爪４５ａの先端部をスライド板３１のロック溝３１ｂに進入させる。これにより、ラック固定装置２３が、スライド板３１のロック溝３１ｂの位置に固定される。
【００３８】
次に、図９（ａ），図１１（ａ）に示すように、ラック固定装置２３のガイドピン４２を、支柱２１の穴２１ａに挿入して押し込む。
【００３９】
ガイドピン４２を穴２１ａに押し込むのにともなって、図９（ｂ），図１１（ｂ）に示すように、板ばね４４が支柱２１の縁に当たって弾性的に変形する。
【００４０】
そして、図１０，図１１（ｃ）に示すように、板ばね４４が支柱２１の縁を通り抜けると、板ばね４４は弾性力により元の形状に戻り、板ばね４４の先端部と固定部４１との間に支柱２１が挟まれる。このようにして、ラック固定装置２３が支柱２１の所定の位置に固定される。
【００４１】
次に、サーバ１２をスライドさせてラック１１内に収納する。
【００４２】
図１２（ａ），（ｂ）はラック固定装置２３を支柱２１に固定してからサーバ１２をラック１１内に収納するまでの工程を示す斜視図である。また、図１３（ａ）〜（ｃ）は、同じくラック固定装置２３を支柱２１に固定してからサーバ１２をラック１１内に収納するまでの工程を示す模式断面図である。更に、図１４は、板ばね４５の爪４５ａによるロックを解除する方法を示す模式図である。更にまた、図１５は、サーバ１２のフランジ部３２の裏側に設けられたロックピン３３が、板ばね４４のロック穴４４ａに嵌入する状態を示す模式図である。
【００４３】
図１０，図１１（ｃ）に示すように支柱２１にラック固定装置２３を固定した後、図１４（ａ），（ｂ）に示すように、板ばね４５の先端部を側方（図１４（ａ）中に矢印で示す方向）に移動させて、爪４５ａの先端部をロック溝３１ｂから外す。これにより、板ばね４５の爪４５ａによるサーバ１２のロックが解除される。
【００４４】
その後、サーバ１２をラック１１の内側に若干押し込んで、爪４５ａをスライド溝３１ａに進入させる。これにより、サーバ１２（スライド板３１）をスライド溝３１ａの長手方向にスライドさせることが可能になる。次いで、サーバ１２をラック１１の内側に向けてスライドさせる。
【００４５】
図１３（ａ）はサーバ１２のフランジ部３２がラック固定装置２３に近づいた状態を示している。この状態からサーバ１２をラック１１の内側に押し込むと、スライド板３１がスライドして、図１２（ａ），図１３（ｂ）に示すように、フランジ部３２の開口部３２ａ内に板ばね４５の先端部が進入する。そして、開口部３２ａの壁面に板ばね４５の先端部が当たって、板ばね４５が弾性変形する。
【００４６】
その後、サーバ１２をラック１１の内側に更に押し込むと、板ばね４５の先端部は開口部３２ａを通り抜ける。そして、図１２（ｂ），図１３（ｃ）に示すように、板ばね４５は元の形状に戻り、板ばね４５の先端部と固定部４１との間にサーバ１２のフランジ部３２を挟み込む。また、図１５に示すように、サーバ１２のフランジ部３２の裏側に設けられたロックピン３３が、支柱２１の穴２１ａを通り、固定部４１のロック穴４１ａ及び板ばね４４のロック穴４４ａ内に嵌入する。
【００４７】
ロックピン３３が板ばね４４のロック穴４４ａに嵌入すると、板ばね４５の両端（固定端及び自由端）が固定されるので、板ばね４４が撓まないようになる。これにより、何らかの理由（例えば、地震等）でラック１１又はラック固定装置２３に大きな力が加えられても、サーバ１２がラック１１から外れることが回避される。
【００４８】
このようにして、サーバ１２がラック固定装置２３に固定され、ラック１１内に収納される。
【００４９】
保守点検等によりサーバ１２をラック１１から引き出す場合、作業者は図１６（ａ）に示すように板ばね４５の先端部を窄めて、板ばね４５の先端部がフランジ部３２の開口部３２ａを通るようにする。
【００５０】
その後、図１６（ｂ）に示すようにサーバ１２を前方に引き出して板ばね４５の先端部をフランジ部３２の開口部３２ａに通し、更にサーバ１２を引き出して板ばね４５の爪４５ａをスライド板３１のロック溝３１ｂに進入させる。
【００５１】
図１７に、ラック１１から引き出された状態のサーバ１２を示す。このように、サーバ１２はラック１１から引き出された状態で固定されるため、保守点検を容易に行うことができる。
【００５２】
本実施形態に係るラック固定装置２３は、特別な工具を使用することなく、例えば一人の作業者でもサーバ１２をラック１１に容易に取り付けることができる。また、本実施形態に係るラック固定装置２３を使用することにより、１Ｕの高さに２台のサーバ１２を収納することができる。このため、ラック１１内にサーバ１２を高密度に収納できる。
【００５３】
更に、本実施形態に係るラック固定装置２３を使用することにより、サーバ１２をラック１１から容易に引き出すことができるので、サーバ１２の保守点検が容易である。
【００５４】
なお、上述の実施形態ではラック１１内に収納する電子装置がサーバ１２の場合について説明したが、開示の技術はサーバ以外の電子機器（例えば、ネットワークスイッチやストレージ装置等）をラック１１に収納する場合も適用できる。
【００５５】
（変形例）
一般的に、ラックの支柱と側板との間には空間が設けられており、その空間には例えばサーバ又はその他の電子装置に接続するケーブルの一部を配置している。通常、このような空間にはサーバを搭載することはできない。
【００５６】
しかし、前述の実施形態に係るラック固定装置２３を使用すると、本来は電子機器を搭載できない場所（いわゆる０Ｕ部）にも電子機器を搭載することができる。
【００５７】
図１８は、０Ｕ部にサーバ１２を搭載した例を示している。この図１８に示す例では、支柱２１と側板（図示せず）との間（０Ｕ部）に支持体としてパネル１４を配置し、パネル１４に設けた開口部に前述のラック固定装置２３を取り付けて、サーバ１２を縦置きしている。
【００５８】
このように、ラック１１内の０Ｕ部にもサーバ１２又はその他の電子機器を搭載することで、電子機器の搭載密度がより一層向上する。
【００５９】
以上の諸実施形態に関し、更に以下の付記を開示する。
【００６０】
（付記１）ラック内の支持体に固定して電子機器を前記ラック内に収納するラック固定装置であって、
前記電子機器の側面に取り付けられたスライド板をスライド可能に支持するスライド板受け部と、
前記スライド板受け部に連絡する固定部と、
前記固定部の一方の面側から突出して前記支持体に設けられた穴に挿入されるガイドピンと、
前記固定部の前記一方の面との間に前記支持体を挟む第１の弾性体と、
前記固定部の他方の面との間に前記電子機器を固定する第２の弾性体と
を有することを特徴とするラック固定装置。
【００６１】
（付記２）前記第１の弾性体及び前記第２の弾性体は、それぞれ所定の形状に加工された板ばねであることを特徴とする付記１に記載のラック固定装置。
【００６２】
（付記３）前記ガイドピンを前記支持体の穴に挿入するときに、前記第２の弾性体は前記支持体に当接して弾性変形することを特徴とする付記２に記載のラック固定装置。
【００６３】
（付記４）前記第２の弾性体の一端側が前記スライド板受け部に固定され、前記第２の弾性体の他端側が前記固定部に設けられた開口部を通って前記他方の面側に突出し、前記第２の弾性体の前記他端側と前記固定部の前記他方の面との間に前記電子機器のフランジ部を挟むことを特徴とする付記１乃至３のいずれか１項に記載のラック固定装置。
【００６４】
（付記５）前記固定部及び前記スライド板受け部は、金属板により一体的に形成されていることを特徴とする付記１乃至４のいずれか１項に記載のラック固定装置。
【００６５】
（付記６）前記固定部及び前記第１の弾性体には、前記ラックのフランジ部に設けられたピンが嵌入する穴が設けられていることを特徴とする付記１乃至５のいずれか１項に記載のラック固定装置。
【００６６】
（付記７）支持体を備えたラックと、
フランジ部を備えた電子機器と、
前記電子機器の側面に取り付けられたスライド板と、
前記電子機器を前記支持体に固定するラック固定装置とを有し、
前記ラック固定装置は、
前記スライド板をスライド可能に支持するスライド板受け部と、
前記スライド板受け部に連絡する固定部と、
前記固定部の一方の面側から突出して前記支持体に設けられた穴に挿入されるガイドピンと、
前記固定部の前記一方の面との間に前記支持体を挟む第１の弾性体と、
前記固定部の他方の面との間に前記フランジ部を挟む第２の弾性体とを有する
ことを特徴とする電子装置。
【００６７】
（付記８）前記第２の弾性体が、一端側が前記スライド板受け部に固定され、他端側がＶ字状に屈曲した板ばねであることを特徴とする付記７に記載の電子装置。
【００６８】
（付記９）前記スライド板は、前記スライド板の長手方向に延びるスライド溝と、前記スライド溝の延長上に配置されたロック溝とを有し、
前記第２の弾性体には前記スライド板受け部に設けられた穴を介して前記スライド溝又は前記ロック溝に進入する爪が設けられていることを特徴とする付記８に記載の電子装置。
【００６９】
（付記１０）前記支持体が、前記ラック内に垂直に配置された支柱であることを特徴とする付記７乃至９のいずれか１項に記載の電子装置。
【００７０】
（付記１１）前記スライド板の上部及び下部がＵ字状に湾曲し、その湾曲した部分で前記スライド板受け部の上部及び下部を挟むことを特徴とする付記７乃至１０のいずれか１項に記載の電子装置。
【符号の説明】
【００７１】
１０…電子装置、１１…ラック、１２…サーバ、２１…支柱、２３…ラック固定装置、３１…スライド板、３１ａ…スライド溝、３１ｂ…ロック溝、３２…フランジ部、３３…ロックピン、４１…固定部、４２…ガイドピン、４３…スライド板受け部、４４，４５…板ばね、４５ａ…爪、４６…折り曲げ部、４７…ばね支持部、４８…切り欠き。
【図１】
0006569380.tif 000002
【図２】
0006569380.tif 000003
【図３】
0006569380.tif 000004
【図４】
0006569380.tif 000005
【図５】
0006569380.tif 000006
【図６】
0006569380.tif 000007
【図７】
0006569380.tif 000008
【図８】
0006569380.tif 000009
【図９】
0006569380.tif 000010
【図１０】
0006569380.tif 000011
【図１１】
0006569380.tif 000012
【図１２】
0006569380.tif 000013
【図１３】
0006569380.tif 000014
【図１４】
0006569380.tif 000015
【図１５】
0006569380.tif 000016
【図１６】
0006569380.tif 000017
【図１７】
0006569380.tif 000018
【図１８】
0006569380.tif 000019